(57)【特許請求の範囲】
【請求項１】
携帯端末と、該携帯端末の位置情報を管理する位置情報管理装置と、特定ゾーン内に現存する携帯端末への情報提供を要求するサービス要求装置と、該サービス要求装置の要求に基づき、該特定ゾーン内に現存する携帯端末に該情報提供を実施する情報サービス管理装置と、前記の各装置を収容し、収容装置間に所望の通信路を設定するネットワークとを具備する情報提供システムであって、
前記サービス要求装置が要求する提供情報を前記携帯端末に提供した場合に、提供先となる携帯端末の識別情報、提供情報およびサービス提供条件を含む提供履歴情報を保管し、前記提供情報を受信した携帯端末から、前記提供情報の提示するサービスの提供を希望する応答情報を受付け、応答した携帯端末の識別情報および前記サービス提供条件の判定対象とする情報を含む応答履歴情報を保管し、前記提供履歴情報と前記応答履歴情報を比較し、前記応答情報の前記サービス提供条件に対する適合性を判定し、該判定結果を前記携帯端末に送信する前記情報サービス管理装置が、
前記サービス要求装置から、サービスの利用を要求する携帯端末に関する前記サービス提供条件に対する適合性の問合せ情報を受付ける問合せ情報受付手段と、
前記問合せ情報受付手段が前記問合せ情報を受付けた場合に、前記提供履歴情報と前記応答履歴情報を参照し、前記問合せ情報の前記サービス提供条件に対する適合性を判定する問合せ条件判定手段と、
を備えることを特徴とする情報提供システム。
【発明の詳細な説明】
【０００１】
【発明の属する技術分野】
本発明は情報提供システムに関し、特に情報サービス提供者からの要求に基づき、所定のサービス情報を指定区域内の複数の携帯端末に提供する情報提供システムの改良に関する。
【０００２】
【従来の技術】
近年、情報提供者が主体となり、特定地域内に現存する携帯端末に、同地域に密着した情報〔例えば特定店舗の先着割引サービス等〕を提供する、所謂プッシュ型の情報提供サービスが着目され、この種の情報提供システムが提案されている。
【０００３】
図１２は従来ある情報提供システムの原理を示す図である。
【０００４】
図１２において、１は複数の携帯端末（ＰＳ）、２は無線基地局（ＢＳ）、３は位置情報管理装置、４は情報サービス管理装置、５はサービス要求装置、６はネットワーク（ＮＷ）であり、ネットワーク（ＮＷ）６は収容装置間に通信路を設定し、無線基地局（ＢＳ）２は所定地域内の携帯端末（ＰＳ）１を無線回線経由でネットワーク（ＮＷ）６に収容し、位置情報管理装置３は各携帯端末（ＰＳ）１の現存地域を管理する。
【０００５】
サービス要求装置５は、特定地域内に現存する携帯端末（ＰＳ）１に対して提供するサービス情報を作成して情報サービス管理装置４に伝達し、指定地域内の携帯端末（ＰＳ）１への配送を要求する。
【０００６】
情報サービス管理装置４は、サービス要求装置５から伝達された情報サービスを、指定地域内に現存する携帯端末（ＰＳ）１に配送する。
【０００７】
【発明が解決しようとする課題】
然し、従来ある情報提供システムにおいて、例えば特定のサービス提供店が、先着割引サービス等の提供を行ったとしても、サービスの利用を希望する携帯端末（ＰＳ）１側からの応答を受付けることは出来ず、通常の電話網等を利用する以外に無く、また電話網を利用した場合には、受付けたサービス種別および顧客の確認等に、サービス提供店側も、サービス利用者も多大の時間と手間とを費やす問題があった。
【０００８】
本発明は、提供された情報に対する応答等も簡易に確実に処理可能とすることを目的とする。
【０００９】
【課題を解決するための手段】
図１は本発明の原理図である。
【００１０】
図１において、１は複数の携帯端末、３は位置情報管理装置、４は情報サービス管理装置、５はサービス要求装置、６はネットワークである。
【００１１】
位置情報管理装置３は、複数の携帯端末１の位置情報を管理し、またサービス要求装置５は、特定ゾーン内に現存する携帯端末１に対して提供情報の提供を要求し、また情報サービス管理装置４は、サービス要求装置５からの要求に基づき特定ゾーン内に現存する携帯端末１に対して提供情報を提供し、更にネットワーク６は、前述の各装置を収容し、収容装置間に所望の通信路を設定する。
【００１２】
１００は、本発明により情報サービス管理装置４に設けられた提供履歴情報保管手段である。
【００１３】
２００は、本発明により情報サービス管理装置４に設けられた応答情報受付手段である。
【００１４】
３００は、本発明により情報サービス管理装置４に設けられた応答履歴情報保管手段である。
【００１５】
４００は、本発明により情報サービス管理装置４に設けられた応答条件判定手段である。
【００１６】
５００は、本発明により情報サービス管理装置４に付設された問合せ情報受付手段である。
【００１７】
６００は、本発明により情報サービス管理装置４に付設された問合せ条件判定手段である。
【００１８】
提供履歴情報保管手段１００は、サービス要求装置５から要求された提供情報を携帯端末１に提供した場合に、提供先携帯端末１の識別情報、提供情報およびサービス提供条件を含む提供履歴情報を保管する。
【００１９】
応答情報受付手段２００は、提供情報を受信した携帯端末１から、提供情報の提示するサービスの提供を希望する応答情報を受付ける。
【００２０】
応答履歴情報保管手段３００は、応答情報受付手段２００が応答情報を受付けた場合に、応答携帯端末１の識別情報およびサービス提供条件の判定対象とする諸情報を含む応答履歴情報を保管する。
【００２１】
応答条件判定手段４００は、応答履歴情報保管手段３００に保管済の応答履歴情報と、提供情報保管手段１００に保管済の、応答情報の元となる提供情報に関する提供履歴情報を比較し、応答情報のサービス提供条件に対する適合性を判定する。
問合せ情報受付手段５００は、サービス要求装置５から、特定の携帯端末１に関するサービス提供条件に対する適合性の問合せに関する問合せ情報を受付ける。
【００２２】
問合せ条件判定手段６００は、問合せ情報受付手段５００が任意の携帯端末１に関する問合せ情報を受付けた場合に、提供情報保管手段１００に保管済の提供履歴情報を参照し、または応答履歴情報保管手段３００に保管済の応答履歴情報を提供履歴情報と共に参照し、問合せ情報受付手段５００が受付けた問合せ情報のサービス提供条件に対する適合性を判定する。
従って、情報サービス管理装置から配送された提供情報を受信した携帯端末が、応答情報を送信すると、情報サービス管理装置が受信した応答情報に関するサービス提供条件を判定し、応答情報の送信元の携帯端末に判定結果を通知し、また提供情報の配送要求元のサービス要求装置が、携帯端末に対するサービス提供条件の問合せ情報を送信すると、情報サービス管理装置が当該携帯端末に対するサービス提供条件を判定し、サービス要求装置に判定結果を通知する為、当該情報提供システムの利便性が大幅に向上する。
【００２３】
【発明の実施の形態】
以下、本発明の実施形態を図面により説明する。
【００２４】
図２は本発明の実施形態による情報提供システムを示す図であり、図３は図２における提供履歴情報を例示する図であり、図４は図２における情報提供処理を例示する図であり、図５は図２における情報提供シーケンスを例示する図であり、図６は図２における応答受信処理を例示する図であり、図７は図２における応答受信シーケンスを例示する図であり、図８は図２における情報問合せ処理（その一）を例示する図であり、図９は図２における情報問合せシーケンス（その一）を例示する図であり、図１０は図２における情報問合せ処理（その二）を例示する図であり、図１１は図２における情報問合せシーケンス（その二）を例示する図である。なお、全図を通じて同一符号は同一対象物を示す。
【００２５】
図２においては、二つの無線基地局（ＢＳ）２１  および２２  が、それぞれ固有のゾーン７１  および７２  を形成しており、ゾーン７１  内には三台の携帯端末（ＰＳ）１１  、１２  および１３  が現存している。
【００２６】
またサービス要求装置５を具備した店舗８も、ゾーン７１  内に設置されているものとする。
【００２７】
位置情報管理装置３は、各携帯端末（ＰＳ）１の現存ゾーン７１  を一括把握し、管理している。
【００２８】
また情報サービス管理装置４内には、主制御部４１、情報提供受付部４２、位置情報問合部４３、情報送信部４４、応答受信部４５、情報問合受付部４６、データベース管理部４７、提供履歴管理データベース４８および提供情報データベース４９が設けられている。
【００２９】
なお図１における提供履歴情報保管手段１００と応答履歴情報保管手段３００との役割は、データベース管理部４７および提供履歴管理データベース４８が果たし、また図１における応答情報受付手段２００の役割は応答受信部４５が果たし、また図１における応答条件判定手段４００と問合せ条件判定手段６００との役割は主制御部４１が果たし、更に図１における問合せ情報受付手段５００の役割は情報問合受付部４６が果たす。
【００３０】
また情報サービス管理装置４内に設けられている提供情報データベース４９には、携帯端末情報（ＤＰＳ）が予め格納されている。
【００３１】
携帯端末情報（ＤＰＳ）は、当該情報提供システムに登録済の各携帯端末（ＰＳ）１の属性、即ち携帯端末（ＰＳ）１が提供を希望する提供情報（Ｍ）の種類〔以後ジャンル情報（ＤＧ  ）と称する〕等が、各携帯端末番号（ＤＮ）に対応して登録されている。
【００３２】
最初に、本発明の実施形態による情報提供処理過程を、図２乃至図５を用いて説明する。
【００３３】
図２乃至図５において、サービス要求装置５を具備した店舗８が、自店と同一ゾーン７１  内に現存する携帯端末（ＰＳ）１に対し、先着一名に限定して割引サービスを提供することとし、提供情報（Ｍ１  ）〔例えば「この情報を受取って直ぐに電話番号５５５５−５５５５に電話された方、先着一名様に、全品５０％割引、但し当店の近辺にいる方のみ、店舗８」等〕を作成し、作成した提供情報（Ｍ１  ）の属するジャンル情報（ＤＧ  ）と、提供情報（Ｍ１  ）の提供情報識別番号（ＭＮ１  ）〔例えば電話番号５５５５−５５５５〕とを付加し、ゾーン番号（Ｚ１  ）と共にサービス要求装置５に入力すると、サービス要求装置５は、ゾーン番号（Ｚ１  ）と提供情報（Ｍ１  ）とを含む提供要求情報（ＲＭ  ：Ｚ１  、Ｍ１  ）を構成し、ネットワーク（ＮＷ）６を経由して情報サービス管理装置４に送信する。
【００３４】
情報サービス管理装置４においては、情報提供受付部４２が、サービス要求装置５から送信された提供要求情報（ＲＭ  ：Ｚ１  、Ｍ１  ）を受信すると、主制御部４１に伝達する〔図４、ステップＳ１１〕。
【００３５】
主制御部４１は、情報提供受付部４２から伝達された提供要求情報（ＲＭ  ：Ｚ１  、Ｍ１  ）を分析し、ゾーン番号（Ｚ１  ）で指定されたゾーン７１  内の携帯端末（ＰＳ）１に対する提供情報（Ｍ１  ）の提供要求と認識すると、ゾーン７１  内に現存の携帯端末（ＰＳ）１を求める為に、ゾーン番号（Ｚ１  ）を抽出し、位置情報問合部４３に伝達する〔ステップＳ１２〕。
【００３６】
位置情報問合部４３は、主制御部４１から伝達されたゾーン番号（Ｚ１  ）を含むゾーン内携帯端末番号要求情報（ＲＤＮ：Ｚ１  ）を構成し、ネットワーク（ＮＷ）６を経由して位置情報管理装置３に送信する〔ステップＳ１３〕。
【００３７】
位置情報管理装置３は、情報サービス管理装置４から送信されたゾーン内携帯端末番号要求情報（ＲＤＮ：Ｚ１  ）を受信すると、ゾーン番号（Ｚ１  ）により指定されたゾーン７１  内に現存する携帯端末（ＰＳ）１１  、１２  および１３  の携帯端末番号（ＤＮ１  ）、（ＤＮ２  ）および（ＤＮ３  ）を抽出して携帯端末番号リスト（ＬＤＮ：ＤＮ１  、ＤＮ２  、ＤＮ３  ）を構成し、ネットワーク（ＮＷ）６を経由して情報サービス管理装置４に返送する。
【００３８】
情報サービス管理装置４においては、位置情報問合部４３が、位置情報管理装置３から返送された携帯端末番号リスト（ＬＤＮ：ＤＮ１  、ＤＮ２  、ＤＮ３  ）を受信すると、主制御部４１に伝達する〔ステップＳ１４〕。
【００３９】
主制御部４１は、位置情報問合部４３から伝達された携帯端末番号リスト（ＬＤＮ：ＤＮ１  、ＤＮ２  、ＤＮ３  ）に含まれる総ての携帯端末番号（ＤＮ１  ）、（ＤＮ２  ）および（ＤＮ３  ）を抽出し、サービス要求装置５から受信済の提供情報（Ｍ１  ）と共に、データベース管理部４７に伝達する〔ステップＳ１５〕。
【００４０】
データベース管理部４７は、主制御部４１から伝達された提供情報（Ｍ１  ）を、提供情報データベース４９に格納した後〔ステップＳ１６〕、改めて格納済の提供情報（Ｍ１  ）を抽出する。
【００４１】
またデータベース管理部４７は、主制御部４１から伝達された携帯端末番号（ＤＮ１  ）、（ＤＮ２  ）および（ＤＮ３  ）に対応する携帯端末情報（ＤＰＳ１  ）、（ＤＰＳ２  ）および（ＤＰＳ３  ）を提供情報データベース４９から抽出する。
【００４２】
更にデータベース管理部４７は、各携帯端末番号（ＤＮ１  ）、（ＤＮ２  ）および（ＤＮ３  ）に対応する各携帯端末情報（ＤＰＳ１  ）、（ＤＰＳ２  ）および（ＤＰＳ３  ）に含まれる各ジャンル情報（ＤＧ  ）と、提供情報（Ｍ１  ）に付加されているジャンル情報（ＤＧ  ）とを比較し、提供情報（Ｍ１  ）の提供を希望する携帯端末（ＰＳ）１を、携帯端末（ＰＳ）１１  、１２  および１３  から選出し、今回は、総ての携帯端末番号（ＤＮ１  ）、（ＤＮ２  ）および（ＤＮ３  ）に対応する携帯端末情報（ＤＰＳ）に含まれる各ジャンル情報（ＤＧ  ）が、提供情報（Ｍ１  ）に付加されているジャンル情報（ＤＧ  ）と一致していることから、総ての携帯端末（ＰＳ）１１  、１２  および１３  が提供情報（Ｍ１  ）の提供を希望すると判定し、総ての携帯端末（ＰＳ）１１  、１２  および１３  の携帯端末番号（ＤＮ１  ）、（ＤＮ２  ）および（ＤＮ３  ）を含む、提供対象携帯端末リスト（ＬＤＮＭ  ：ＤＮ１  、ＤＮ２  、ＤＮ３  ）を構成し、主制御部４１へ伝達する〔ステップＳ１７〕。
【００４３】
主制御部４１は、データベース管理部４７から伝達された提供対象携帯端末リスト（ＬＤＮＭ  ：ＤＮ１  、ＤＮ２  、ＤＮ３  ）を受信すると、サービス要求装置５から受信済の提供情報（Ｍ１  ）と共に、情報送信部４４へ伝達し、各携帯端末（ＰＳ）１１  、１２  および１３  に対して提供情報（Ｍ１  ）の送信を指示する〔ステップＳ１８〕。
【００４４】
情報送信部４４は、主制御部４１から伝達された提供対象携帯端末リスト（ＬＤＮＭ  ：ＤＮ１  、ＤＮ２  、ＤＮ３  ）に含まれる各携帯端末番号（ＤＮ１  ）、（ＤＮ２  ）および（ＤＮ３  ）に対応する各携帯端末（ＰＳ）１１  、１２  および１３  に対し、主制御部４１から伝達された提供情報（Ｍ１  ）を、ネットワーク（ＮＷ）６を経由して順次送信し〔ステップＳ１９〕、各携帯端末（ＰＳ）１１  、１２  および１３  に対して提供情報（Ｍ１  ）が正常に配送完了したか否かを示す送信結果を、各携帯端末番号（ＤＮ１  ）、（ＤＮ２  ）および（ＤＮ３  ）に対応して記録した送信結果リスト（ＬＳＲ）を構成し、主制御部４１に伝達する〔ステップＳ１Ａ〕。〔今回は、総ての携帯端末（ＰＳ）１１  、１２  および１３  に対して提供情報（Ｍ１  ）が正常に配送されたとする。〕
主制御部４１は、情報送信部４４から伝達された送信結果リスト（ＬＳＲ）を受信すると、受信した送信結果リスト（ＬＳＲ）と、送信した提供情報（Ｍ１  ）の提供情報識別番号（ＭＮ１  ）と、送信先の送信ゾーン番号（ＺＳ  ＝Ｚ１  ）とを、データベース管理部４７へ伝達する〔ステップＳ１Ｂ〕。
【００４５】
データベース管理部４７は、主制御部４１から伝達された送信結果リスト（ＬＳＲ）に含まれる、提供情報（Ｍ１  ）の配送に成功した各携帯端末（ＰＳ）１１  、１２  および１３  の各携帯端末番号（ＤＮ１  ）、（ＤＮ２  ）および（ＤＮ３  ）に対応して、主制御部４１から伝達された送信した提供情報（Ｍ１  ）の提供情報識別番号（ＭＮ１  ）と、送信先の送信ゾーン番号（ＺＳ  ＝Ｚ１  ）とをそれぞれ設定し、更に提供情報（Ｍ１  ）を配送した送信時刻（ＴＳ  ＝ｔ１  ）〔例えばｔ１  ＝８月１５日１５時００分〕をそれぞれ設定した提供履歴情報（ＨＭ１：ＤＮ１  、ＭＮ１  、ＺＳ  ＝Ｚ１  、ＴＳ  ＝ｔ１  ）、（ＨＭ２：ＤＮ２  、ＭＮ１  、ＺＳ  ＝Ｚ１  、ＴＳ  ＝ｔ１  ）および（ＨＭ３：ＤＮ２  、ＭＮ１  、ＺＳ  ＝Ｚ１  、ＴＳ  ＝ｔ１  ）を構成し、提供履歴管理データベース４８に格納する〔ステップＳ１Ｃ〕。
【００４６】
以上により情報サービス管理装置４は、サービス要求装置５から要求された提供情報（Ｍ１  ）を、指定されたゾーン７１  に現存する携帯端末（ＰＳ）１１  、１２  および１３  の内、提供情報（Ｍ１  ）の提供先として選出された提供対象携帯端末（ＰＳ）１１  、１２  および１３  に対して提供した後、提供に成功した各携帯端末（ＰＳ）１１  、１２  および１３  に対してそれぞれ提供履歴情報（ＨＭ１）、（ＨＭ２）および（ＨＭ３）を構成し、提供履歴管理データベース４８に格納することとなる〔図３（ａ）  参照〕。
【００４７】
次に、本発明の実施形態による応答受信処理過程を、図２、図３、図６および図７を用いて説明する。
【００４８】
図２、図３、図６および図７において、各携帯端末（ＰＳ）１１  、１２  および１３  は、送信時刻（ＴＳ  ＝ｔ１  ）に情報サービス管理装置４から送信され提供情報（Ｍ１  ）を、ゾーン７１  内で受信したとする。
【００４９】
最初〔時刻ｔ２  ：例えば８月１５日１５時０５分〕に携帯端末（ＰＳ）１１  が、依然としてゾーン７１  内に現存した状態で、受信した提供情報（Ｍ１  ）に対して応答を希望し、自己の携帯端末番号（ＤＮ１  ）と、受信した提供情報（Ｍ１  ）の提供情報識別番号（ＭＮ１  ）とを含む応答情報（ＡＭ１：ＤＮ１  、ＭＮ１  ）を構成し、無線基地局（ＢＳ）２１  およびネットワーク（ＮＷ）６を経由して情報サービス管理装置４に送信する。
【００５０】
情報サービス管理装置４においては、応答受信部４５が、携帯端末（ＰＳ）１１  から送信された応答情報（ＡＭ１：ＤＮ１  、ＭＮ１  ）を受信すると、主制御部４１に伝達する〔図６、ステップＳ２１〕。
【００５１】
主制御部４１は、応答受信部４５から伝達された応答情報（ＡＭ１：ＤＮ１  、ＭＮ１  ）を受信すると、受信した応答情報（ＡＭ１：ＤＮ１  、ＭＮ１  ）に現時刻（ｔ２  ）を応答時刻（ＴＡ  ）として付加して応答履歴情報（ＨＡ１：ＤＮ１  、ＭＮ１  、ＴＡ  ＝ｔ２  ）を構成する〔ステップＳ２２〕。
【００５２】
続いて主制御部４１は、送信元携帯端末（ＰＳ）１１  の在圏ゾーン番号（ＺＰＳ）を求める為に、受信した応答情報（ＡＭ１：ＤＮ１  、ＭＮ１  ）から携帯端末番号（ＤＮ１  ）を抽出して位置情報問合部４３に伝達する〔ステップＳ２３〕。
【００５３】
位置情報問合部４３は、主制御部４１から伝達された携帯端末番号（ＤＮ１  ）を含むゾーン番号要求情報（ＲＺ  ：ＤＮ１  ）を構成し、ネットワーク（ＮＷ）６を経由して位置情報管理装置３に送信する〔ステップＳ２４〕。
【００５４】
位置情報管理装置３は、情報サービス管理装置４から送信されたゾーン番号要求情報（ＲＺ  ：ＤＮ１  ）を受信すると、携帯端末番号（ＤＮ１  ）に対応して保管中の携帯端末（ＰＳ）１１  の在圏ゾーン番号（ＺＰＳ）を検索し、検出した在圏ゾーン番号（ＺＰＳ＝Ｚ１  ）を、ネットワーク（ＮＷ）６を経由して情報サービス管理装置４に返送する。
【００５５】
情報サービス管理装置４においては、位置情報問合部４３が、位置情報管理装置３から返送された在圏ゾーン番号（ＺＰＳ＝Ｚ１  ）を受信すると、主制御部４１に伝達する〔ステップＳ２５〕。
【００５６】
主制御部４１は、位置情報問合部４３から伝達された携帯端末（ＰＳ）１１  の在圏ゾーン番号（ＺＰＳ＝Ｚ１  ）を受信すると、構成済の応答履歴情報（ＨＡ１：ＤＮ１  、ＭＮ１  、ＴＡ  ＝ｔ２  ）に、受信した在圏ゾーン番号（ＺＰＳ＝Ｚ１  ）を応答ゾーン番号（ＺＡ  ＝Ｚ１  ）として付加して応答履歴情報（ＨＡ１：ＤＮ１  、ＭＮ１  、ＴＡ  ＝ｔ２  、ＺＡ  ＝Ｚ１  ）を構成し、データベース管理部４７に伝達する〔ステップＳ２６〕。
【００５７】
データベース管理部４７は、主制御部４１から伝達された応答履歴情報（ＨＡ１：ＤＮ１  、ＭＮ１  、ＴＡ  ＝ｔ２  、ＺＰＳ＝Ｚ１  ）に、提供情報識別番号（ＭＮ１  ）が含まれているか否かを分析し、今回は提供情報識別番号（ＭＮ１  ）が含まれていることを確認すると、提供情報識別番号（ＭＮ１  ）と携帯端末番号（ＤＮ１  ）とを抽出した後、提供履歴管理データベース４８を参照し、格納済の提供履歴情報（ＨＭ１）、（ＨＭ２）および（ＨＭ３）の中から、抽出した携帯端末番号（ＤＮ１  ）および提供情報識別番号（ＭＮ１  ）と同一の携帯端末番号（ＤＮ１  ）および提供情報識別番号（ＭＮ１  ）を保持済の提供履歴情報（ＨＭ１：ＤＮ１  、ＭＮ１  、ＺＳ  ＝Ｚ１  、ＴＳ  ＝ｔ１  ）を選出し、受信した応答履歴情報（ＨＡ１：ＤＮ１  、ＭＮ１  、ＴＡ  ＝ｔ２  、ＺＰＳ＝Ｚ１  ）を付加して提供履歴情報（ＨＭ１＋ＨＡ１）を構成し、提供履歴管理データベース４８に格納する〔ステップＳ２７〕。
【００５８】
なおデータベース管理部４７は、主制御部４１から伝達された応答履歴情報（ＨＡ１）に、提供情報識別番号（ＭＮ１  ）が含まれていなかった場合には、携帯端末番号（ＤＮ１  ）のみで提供履歴管理データベース４８から提供履歴情報（ＨＭ１）を選出し、同様の処理を実行する。
【００５９】
次にデータベース管理部４７は、構成した提供履歴情報（ＨＭ１＋ＨＡ１）から、送信ゾーン番号（ＺＳ  ＝Ｚ１  ）および送信時刻（ＴＳ  ＝ｔ１  ）を抽出した後、提供履歴管理データベース４８を参照し、格納済の提供履歴情報（ＨＭ１＋ＨＡ１）、（ＨＭ２）および（ＨＭ３）の中から、提供履歴情報（ＨＭ１＋ＨＡ１）から抽出済の送信ゾーン番号（ＺＳ  ＝Ｚ１  ）および送信時刻（ＴＳ  ＝ｔ１  ）と同一の送信ゾーン番号（ＺＳ  ＝Ｚ１  ）および送信時刻（ＴＳ  ＝ｔ１  ）を保持済の提供履歴情報（ＨＭ１＋ＨＡ１）、（ＨＭ２）および（ＨＭ３）を抽出して提供履歴情報リスト（ＬＨＭ：ＨＭ１＋ＨＡ１、ＨＭ２、ＨＭ３）を構成し、抽出済の送信ゾーン番号（ＺＳ  ＝Ｚ１  ）および送信時刻（ＴＳ  ＝ｔ１  ）と共に、主制御部４１へ伝達する〔ステップＳ２８〕。
【００６０】
主制御部４１は、データベース管理部４７から伝達された提供履歴情報リスト（ＬＨＭ：ＨＭ１＋ＨＡ１、ＨＭ２、ＨＭ３）と、送信ゾーン番号（ＺＳ  ＝Ｚ１  ）および送信時刻（ＴＳ  ＝ｔ１  ）とを受信すると、先ず位置情報問合部４３から伝達された携帯端末（ＰＳ）１１  の在圏ゾーン番号（ＺＰＳ＝Ｚ１  ）と、データベース管理部４７から伝達された提供情報（Ｍ１  ）の送信ゾーン番号（ＺＳ  ＝Ｚ１  ）とを比較し、両ゾーン番号（Ｚ１  ）が一致することから、携帯端末（ＰＳ）１１  が提供情報（Ｍ１  ）の送信ゾーン７１  〔送信ゾーン番号（ＺＳ  ＝Ｚ１  ）〕内に現存することを確認する〔ステップＳ２９〕。
【００６１】
次に主制御部４１は、データベース管理部４７から伝達された提供履歴情報リスト（ＬＨＭ：ＨＭ１＋ＨＡ１、ＨＭ２、ＨＭ３）を分析し、携帯端末（ＰＳ）１１  に対応する提供履歴情報（ＨＭ１＋ＨＡ１）のみに応答履歴情報（ＨＡ１）が付加されており、その他の携帯端末（ＰＳ）１２  および１３  に対応する提供履歴情報（ＨＭ２）および（ＨＭ３）には応答履歴情報（ＨＡ２）および（ＨＡ３）が付加されていないことを認識すると、携帯端末（ＰＳ）１１  は提供情報（Ｍ１  ）の送信ゾーンゾーン７１  から応答情報（Ａ１  ）を送信した最初の携帯端末（ＰＳ）１１  であると判定し、携帯端末（ＰＳ）１１  の携帯端末番号（ＤＮ１  ）と、応答順序が第一であることを示す応答順情報（ＰＡ  ＝１）とをデータベース管理部４７に伝達した後〔ステップＳ２Ａ〕、携帯端末（ＰＳ）１１  が提供情報（Ｍ１  ＝「この情報を受取って直ぐに電話番号５５５５−５５５５に電話された方、先着一名様に、全品５０％割引、但し当店の近辺にいる方のみ、店舗８」）に記載の割引サービスを利用する資格が有ることを通知する提供利用可情報（ＭＵＡ：ＯＫ）を構成し、情報送信部４４に伝達する〔ステップＳ２Ｂ〕。
【００６２】
データベース管理部４７は、主制御部４１から伝達された携帯端末番号（ＤＮ１  ）および応答順情報（ＰＡ  ＝１）を受信すると、提供履歴管理データベース４８を参照し、携帯端末番号（ＤＮ１  ）に対応する提供履歴情報（ＨＭ  ）を検索し、検出した提供履歴情報（ＨＭ１＋ＨＡ１）に、受信した応答順情報（ＰＡ  ＝１）を追加する〔ステップＳ２Ｃ〕。
【００６３】
また情報送信部４４は、主制御部４１から伝達された提供利用可情報（ＭＵＡ：ＯＫ）を、ネットワーク（ＮＷ）６および無線基地局（ＢＳ）２１  を経由して応答した携帯端末（ＰＳ）１１  に送信する〔ステップＳ２Ｄ〕。
【００６４】
次に〔時刻ｔ２  より遅れて時刻ｔ３  ：例えば８月１５日１５時１０分〕に携帯端末（ＰＳ）１２  が、ゾーン７２  に移動した状態で、受信した提供情報（Ｍ１  ）に対して応答を希望し、自己の携帯端末番号（ＤＮ２  ）と、受信した提供情報（Ｍ１  ）の提供情報識別番号（ＭＮ１  ）とを含む応答情報（ＡＭ２：ＤＮ２  、ＭＮ１  ）を構成し、無線基地局（ＢＳ）２２  およびネットワーク（ＮＷ）６を経由して情報サービス管理装置４に送信する。
【００６５】
情報サービス管理装置４においては、応答受信部４５が、携帯端末（ＰＳ）１２  から送信された応答情報（ＡＭ２：ＤＮ２  、ＭＮ１  ）を受信すると、主制御部４１に伝達する〔ステップＳ２１〕。
【００６６】
主制御部４１は、応答受信部４５から伝達された応答情報（ＡＭ２：ＤＮ２  、ＭＮ１  ）を受信すると、受信した応答情報（ＡＭ２：ＤＮ２  、ＭＮ１  ）に現時刻（ｔ３  ）を応答時刻（ＴＡ  ）として付加して応答履歴情報（ＨＡ２：ＤＮ２  、ＭＮ１  、ＴＡ  ＝ｔ３  ）を構成する〔ステップＳ２２〕。
【００６７】
続いて主制御部４１は、送信元携帯端末（ＰＳ）１２  の在圏ゾーン番号（ＺＰＳ）を求める為に、受信した応答情報（ＡＭ２：ＤＮ２  、ＭＮ１  ）から携帯端末番号（ＤＮ２  ）を抽出して位置情報問合部４３に伝達する〔ステップＳ２３〕。
【００６８】
位置情報問合部４３は、主制御部４１から伝達された携帯端末番号（ＤＮ２  ）を含むゾーン番号要求情報（ＲＺ  ：ＤＮ２  ）を構成し、ネットワーク（ＮＷ）６を経由して位置情報管理装置３に送信する〔ステップＳ２４〕。
【００６９】
位置情報管理装置３は、情報サービス管理装置４から送信されたゾーン番号要求情報（ＲＺ  ：ＤＮ２  ）を受信すると、携帯端末番号（ＤＮ２  ）に対応して保管中の携帯端末（ＰＳ）１２  の在圏ゾーン番号（ＺＰＳ）を検索し、検出した在圏ゾーン番号（ＺＰＳ＝Ｚ２  ）を、ネットワーク（ＮＷ）６を経由して情報サービス管理装置４に返送する。
【００７０】
情報サービス管理装置４においては、位置情報問合部４３が、位置情報管理装置３から返送された在圏ゾーン番号（ＺＰＳ＝Ｚ２  ）を受信すると、主制御部４１に伝達する〔ステップＳ２５〕。
【００７１】
主制御部４１は、位置情報問合部４３から伝達された携帯端末（ＰＳ）１２  の在圏ゾーン番号（ＺＰＳ＝Ｚ２  ）を受信すると、構成済の応答履歴情報（ＨＡ２：ＤＮ２  、ＭＮ１  、ＴＡ  ＝ｔ３  ）に、受信した在圏ゾーン番号（ＺＰＳ＝Ｚ２  ）を応答ゾーン番号（ＺＡ  ＝Ｚ２  ）として付加して応答履歴情報（ＨＡ２：ＤＮ２  、ＭＮ１  、ＴＡ  ＝ｔ３  、ＺＡ  ＝Ｚ２  ）を構成し、データベース管理部４７に伝達する〔ステップＳ２６〕。
【００７２】
データベース管理部４７は、主制御部４１から伝達された応答履歴情報（ＨＡ２：ＤＮ２  、ＭＮ１  、ＴＡ  ＝ｔ３  、ＺＡ  ＝Ｚ２  ）に、提供情報識別番号（ＭＮ１  ）が含まれているか否かを分析し、今回は提供情報識別番号（ＭＮ１  ）が含まれていることを確認すると、提供情報識別番号（ＭＮ１  ）と携帯端末番号（ＤＮ２  ）とを抽出した後、提供履歴管理データベース４８を参照し、格納済の提供履歴情報（ＨＭ１＋ＨＡ１）、（ＨＭ２）および（ＨＭ３）の中から、抽出した携帯端末番号（ＤＮ２  ）および提供情報識別番号（ＭＮ１  ）と同一の携帯端末番号（ＤＮ２  ）および提供情報識別番号（ＭＮ１  ）を保持済の提供履歴情報（ＨＭ２：ＤＮ２  、ＭＮ１  、ＺＳ  ＝Ｚ１  、ＴＳ  ＝ｔ１  ）を選出し、受信した応答履歴情報（ＨＡ２：ＤＮ２  、ＭＮ１  、ＴＡ  ＝ｔ３  、ＺＡ  ＝Ｚ２  ）を付加して提供履歴情報（ＨＭ２＋ＨＡ２）を構成し、提供履歴管理データベース４８に格納する〔ステップＳ２７〕。
【００７３】
次にデータベース管理部４７は、構成した提供履歴情報（ＨＭ２＋ＨＡ２）から、送信ゾーン番号（ＺＳ  ＝Ｚ１  ）および送信時刻（ＴＳ  ＝ｔ１  ）を抽出した後、提供履歴管理データベース４８を参照し、格納済の提供履歴情報（ＨＭ１＋ＨＡ１）、（ＨＭ２＋ＨＡ２）および（ＨＭ３）の中から、提供履歴情報（ＨＭ２＋ＨＡ２）から抽出済の送信ゾーン番号（ＺＳ  ＝Ｚ１  ）および送信時刻（ＴＳ  ＝ｔ１  ）と同一の送信ゾーン番号（ＺＳ  ＝Ｚ１  ）および送信時刻（ＴＳ  ＝ｔ１  ）を保持済の提供履歴情報（ＨＭ１＋ＨＡ１）、（ＨＭ２＋ＨＡ２）および（ＨＭ３）を抽出して提供履歴情報リスト（ＬＨＭ：ＨＭ１＋ＨＡ１、ＨＭ２＋ＨＡ２、ＨＭ３）を構成し、抽出済の送信ゾーン番号（ＺＳ  ＝Ｚ１  ）および送信時刻（ＴＳ  ＝ｔ１  ）と共に、主制御部４１へ伝達する〔ステップＳ２８〕。
【００７４】
主制御部４１は、データベース管理部４７から伝達された提供履歴情報リスト（ＬＨＭ：ＨＭ１＋ＨＡ１、ＨＭ２＋ＨＡ２、ＨＭ３）と、送信ゾーン番号（ＺＳ  ＝Ｚ１  ）および送信時刻（ＴＳ  ＝ｔ１  ）とを受信すると、先ず位置情報問合部４３から伝達された携帯端末（ＰＳ）１２  の応答ゾーン番号（ＺＡ  ＝Ｚ２  ）と、データベース管理部４７から伝達された提供情報（Ｍ１  ）の送信ゾーン番号（ＺＳ  ＝Ｚ１  ）とを比較し、両ゾーン番号（Ｚ１  ）が不一致であることから〔ステップＳ２９〕、携帯端末（ＰＳ）１２  が提供情報（Ｍ１  ）の送信ゾーン７１  〔送信ゾーン番号（ＺＳ  ＝Ｚ１  ）〕から移動したと判定し、データベース管理部４７に対して応答順情報（ＰＡ  ）を伝達すること無く、提供情報（Ｍ１  ＝「この情報を受取って直ぐに電話番号５５５５−５５５５に電話された方、先着一名様に、全品５０％割引、但し当店の近辺にいる方のみ、店舗８」）に記載の割引サービスを利用する資格が無いことを通知する提供利用否情報（ＭＵＡ：ＮＧ）を構成し、情報送信部４４に伝達する〔ステップＳ２Ｂ〕。
【００７５】
情報送信部４４は、主制御部４１から伝達された提供利用否情報（ＭＵＡ：ＮＧ）を、ネットワーク（ＮＷ）６および無線基地局（ＢＳ）２１  を経由して応答した携帯端末（ＰＳ）１１  に送信する〔ステップＳ２Ｄ〕。
【００７６】
次に〔時刻ｔ３  より更に遅れて時刻ｔ４  ：例えば８月１５日１５時２０分〕に携帯端末（ＰＳ）１３  が、依然としてゾーン７１  内に現存した状態で、受信した提供情報（Ｍ１  ）に対して応答を希望し、自己の携帯端末番号（ＤＮ３  ）と、受信した提供情報（Ｍ１  ）の提供情報識別番号（ＭＮ１  ）とを含む応答情報（ＡＭ３：ＤＮ３  、ＭＮ１  ）を構成し、無線基地局（ＢＳ）２１  およびネットワーク（ＮＷ）６を経由して情報サービス管理装置４に送信する。
【００７７】
情報サービス管理装置４においては、応答受信部４５が、携帯端末（ＰＳ）１３  から送信された応答情報（ＡＭ３：ＤＮ３  、ＭＮ１  ）を受信すると、主制御部４１に伝達する〔ステップＳ２１〕。
【００７８】
主制御部４１は、応答受信部４５から伝達された応答情報（ＡＭ３：ＤＮ３  、ＭＮ１  ）を受信すると、受信した応答情報（ＡＭ３：ＤＮ３  、ＭＮ１  ）に現時刻（ｔ４  ）を応答時刻（ＴＡ  ）として付加して応答履歴情報（ＨＡ３：ＤＮ３  、ＭＮ１  、ＴＡ  ＝ｔ４  ）を構成する〔ステップＳ２２〕。
【００７９】
続いて主制御部４１は、送信元携帯端末（ＰＳ）１３  の在圏ゾーン番号（ＺＰＳ）を求める為に、受信した応答情報（ＡＭ３：ＤＮ３  、ＭＮ１  ）から携帯端末番号（ＤＮ３  ）を抽出して位置情報問合部４３に伝達する〔ステップＳ２３〕。
【００８０】
位置情報問合部４３は、主制御部４１から伝達された携帯端末番号（ＤＮ３  ）を含むゾーン番号要求情報（ＲＺ  ：ＤＮ３  ）を構成し、ネットワーク（ＮＷ）６を経由して位置情報管理装置３に送信する〔ステップＳ２４〕。
【００８１】
位置情報管理装置３は、情報サービス管理装置４から送信されたゾーン番号要求情報（ＲＺ  ：ＤＮ３  ）を受信すると、携帯端末番号（ＤＮ３  ）に対応して保管中の携帯端末（ＰＳ）１３  の在圏ゾーン番号（ＺＰＳ）を検索し、検出した在圏ゾーン番号（ＺＰＳ＝Ｚ１  ）を、ネットワーク（ＮＷ）６を経由して情報サービス管理装置４に返送する。
【００８２】
情報サービス管理装置４においては、位置情報問合部４３が、位置情報管理装置３から返送された在圏ゾーン番号（ＺＰＳ＝Ｚ１  ）を受信すると、主制御部４１に伝達する〔ステップＳ２５〕。
【００８３】
主制御部４１は、位置情報問合部４３から伝達された携帯端末（ＰＳ）１１  の在圏ゾーン番号（ＺＰＳ＝Ｚ１  ）を受信すると、構成済の応答履歴情報（ＨＡ３：ＤＮ３  、ＭＮ１  、ＴＡ  ＝ｔ４  ）に、受信した在圏ゾーン番号（ＺＰＳ＝Ｚ１  ）を応答ゾーン番号（ＺＡ  ＝Ｚ１  ）として付加して応答履歴情報（ＨＡ３：ＤＮ３  、ＭＮ１  、ＴＡ  ＝ｔ４  、ＺＡ  ＝Ｚ１  ）を構成し、データベース管理部４７に伝達する〔ステップＳ２６〕。
【００８４】
データベース管理部４７は、主制御部４１から伝達された応答履歴情報（ＨＡ３：ＤＮ３  、ＭＮ１  、ＴＡ  ＝ｔ４  、ＺＡ  ＝Ｚ１  ）に、提供情報識別番号（ＭＮ１  ）が含まれているか否かを分析し、今回は提供情報識別番号（ＭＮ１  ）が含まれていることを確認すると、提供情報識別番号（ＭＮ１  ）と携帯端末番号（ＤＮ３  ）とを抽出した後、提供履歴管理データベース４８を参照し、格納済の提供履歴情報（ＨＭ１＋ＨＡ１）、（ＨＭ２＋ＨＡ２）および（ＨＭ３）の中から、抽出した携帯端末番号（ＤＮ３  ）および提供情報識別番号（ＭＮ１  ）と同一の携帯端末番号（ＤＮ３  ）および提供情報識別番号（ＭＮ１  ）を保持済の提供履歴情報（ＨＭ３：ＤＮ３  、ＭＮ１  、ＺＳ  ＝Ｚ１  、ＴＳ  ＝ｔ１  ）を選出し、受信した応答履歴情報（ＨＡ３：ＤＮ３  、ＭＮ１  、ＴＡ  ＝ｔ４  、ＺＡ  ＝Ｚ１  ）を付加して提供履歴情報（ＨＭ３＋ＨＡ３）を構成し、提供履歴管理データベース４８に格納する〔ステップＳ２７〕。
【００８５】
次にデータベース管理部４７は、構成した提供履歴情報（ＨＭ３＋ＨＡ３）から、送信ゾーン番号（ＺＳ  ＝Ｚ１  ）および送信時刻（ＴＳ  ＝ｔ１  ）を抽出した後、提供履歴管理データベース４８を参照し、格納済の提供履歴情報（ＨＭ１＋ＨＡ１）、（ＨＭ２＋ＨＡ２）および（ＨＭ３＋ＨＡ３）の中から、提供履歴情報（ＨＭ３＋ＨＡ３）から抽出済の送信ゾーン番号（ＺＳ  ＝Ｚ１  ）および送信時刻（ＴＳ  ＝ｔ１  ）と同一の送信ゾーン番号（ＺＳ  ＝Ｚ１  ）および送信時刻（ＴＳ  ＝ｔ１  ）を保持済の提供履歴情報（ＨＭ１＋ＨＡ１）、（ＨＭ２＋ＨＡ２）および（ＨＭ３＋ＨＡ３）を抽出して提供履歴情報リスト（ＬＨＭ：ＨＭ１＋ＨＡ１、ＨＭ２＋ＨＡ２、ＨＭ３＋ＨＡ３）を構成し、抽出済の送信ゾーン番号（ＺＳ  ＝Ｚ１  ）および送信時刻（ＴＳ  ＝ｔ１  ）と共に、主制御部４１へ伝達する〔ステップＳ２８〕。
【００８６】
主制御部４１は、データベース管理部４７から伝達された提供履歴情報リスト（ＬＨＭ：ＨＭ１＋ＨＡ１、ＨＭ２＋ＨＡ２、ＨＭ３＋ＨＡ３）と、送信ゾーン番号（ＺＳ  ＝Ｚ１  ）および送信時刻（ＴＳ  ＝ｔ１  ）とを受信すると、先ず位置情報問合部４３から伝達された携帯端末（ＰＳ）１３  の応答ゾーン番号（ＺＡ  ＝Ｚ１  ）と、データベース管理部４７から伝達された提供情報（Ｍ１  ）の送信ゾーン番号（ＺＳ  ＝Ｚ１  ）とを比較し、両ゾーン番号（Ｚ１  ）が一致することから、携帯端末（ＰＳ）１３  が提供情報（Ｍ１  ）の送信ゾーン７１  〔送信ゾーン番号（ＺＳ  ＝Ｚ１  ）〕内に現存することを確認する〔ステップＳ２９〕。
【００８７】
次に主制御部４１は、データベース管理部４７から伝達された提供履歴情報リスト（ＬＨＭ：ＨＭ１＋ＨＡ１、ＨＭ２＋ＨＡ２、ＨＭ３＋ＨＡ３）を分析し、総ての携帯端末（ＰＳ）１１  、１２  および１３  に対応する提供履歴情報（ＨＭ１＋ＨＡ１）、（ＨＭ２＋ＨＡ２）および（ＨＭ３＋ＨＡ３）に応答履歴情報（ＨＡ１）、（ＨＡ２）および（ＨＡ３）が付加されており、各応答履歴情報（ＨＡ１）、（ＨＡ２）および（ＨＡ３）内に含まれる在圏ゾーン番号（ＺＰＳ）が送信ゾーン番号（ＺＳ  ＝Ｚ１  ）と一致する応答履歴情報（ＨＡ１）および（ＨＡ３）を選出し、更に選出された応答履歴情報（ＨＡ１）および（ＨＡ３）に含まれる応答時刻（ＴＡ  ）を比較し、応答履歴情報（ＨＡ３）に含まれる応答時刻（ＴＡ  ＝ｔ４  ）が、応答履歴情報（ＨＡ１）に含まれる応答時刻（ＴＡ  ＝ｔ２  ）より遅いことを認識すると、携帯端末（ＰＳ）１３  は提供情報（Ｍ１  ）の送信ゾーンゾーン７１  から応答情報（Ａ３  ）を送信した二番目の携帯端末（ＰＳ）１３  であると判定し、携帯端末（ＰＳ）１３  の携帯端末番号（ＤＮ３  ）と、応答順序が第二であることを示す応答順情報（ＰＡ  ＝２）とをデータベース管理部４７に伝達した後〔ステップＳ２Ａ〕、携帯端末（ＰＳ）１３  が提供情報（Ｍ１  ＝「この情報を受取って直ぐに電話番号５５５５−５５５５に電話された方、先着一名様に、全品５０％割引、但し当店の近辺にいる方のみ、店舗８」）に記載の割引サービスを利用する資格が無いことを通知する提供利用否情報（ＭＵＡ：ＮＧ）を構成し、情報送信部４４に伝達する〔ステップＳ２Ｂ〕。
【００８８】
データベース管理部４７は、主制御部４１から伝達された携帯端末番号（ＤＮ２  ）および応答順情報（ＰＡ  ＝２）を受信すると、提供履歴管理データベース４８を参照し、携帯端末番号（ＤＮ２  ）に対応する提供履歴情報（ＨＭ  ）を検索し、検出した提供履歴情報（ＨＭ２＋ＨＡ２）に、受信した応答順情報（ＰＡ  ＝２）を追加する〔ステップＳ２Ｃ〕。
【００８９】
また情報送信部４４は、主制御部４１から伝達された提供利用否情報（ＭＵＡ：ＮＧ）を、ネットワーク（ＮＷ）６および無線基地局（ＢＳ）２１  を経由して応答した携帯端末（ＰＳ）１３  に送信する〔ステップＳ２Ｄ〕。
【００９０】
以上により、店舗８からの要求により提供された提供情報（Ｍ１  ）を、ゾーン７１  〔ゾーン番号（Ｚ１  ）〕内で受信した携帯端末（ＰＳ）１１  、１２  および１３  の内、携帯端末（ＰＳ）１１  および１３  が、同一ゾーン７１  内からそれぞれ時刻ｔ２  およびｔ４  〔ｔ４  ＞ｔ２  〕に応答情報（Ａ１  ）および（Ａ３  ）をそれぞれ送信し、また携帯端末（ＰＳ）１２  が、他のゾーン７２  から時刻ｔ３  〔ｔ４  ＞ｔ３  ＞ｔ２  〕に応答情報（Ａ２  ）を送信すると、情報サービス管理装置４が各応答情報（Ａ１  ）、（Ａ２  ）および（Ａ３  ）を順次受信・分析し、提供情報（Ｍ１  ）のゾーン７１  と同一ゾーン７１  から最初に応答した携帯端末（ＰＳ）１１  を選出して提供利用可情報（ＭＵＡ：ＯＫ）を送信し、その他の携帯端末（ＰＳ）１２  および１３  には提供利用否情報（ＭＵＡ：ＮＧ）を送信することとなる。
【００９１】
次に、本発明の実施形態による情報問合せ処理（その一）を、図２、図３、図８および図９を用いて説明する。
【００９２】
図２、図３、図８および図９において、提供情報（Ｍ１  ）に対する応答情報（Ａ１  ）を送信した結果、提供利用可情報（ＭＵＡ：ＯＫ）を受信した携帯端末（ＰＳ）１１  の所有者が、店舗８を訪問し、提供情報（Ｍ１  ）に提示された割引サービスの利用を試みたとする。
【００９３】
かかる場合に店舗８は、訪問客の所有する携帯端末（ＰＳ）１１  の携帯端末番号（ＤＮ１  ）と、提供情報（Ｍ１  ）の提供情報識別番号（ＭＮ１  ）とをサービス要求装置５に入力すると、サービス要求装置５は、入力された携帯端末番号（ＤＮ１  ）と提供情報識別番号（ＭＮ１  ）とを含む問合せ情報（ＱＰＳ：ＤＮ１  、ＭＮ１  ）を構成し、ネットワーク（ＮＷ）６を経由して情報サービス管理装置４に送信する。
【００９４】
情報サービス管理装置４においては、情報問合受付部４６が、サービス要求装置５から送信された問合せ情報（ＱＰＳ：ＤＮ１  、ＭＮ１  ）を受信すると、主制御部４１に伝達する〔図８、ステップＳ３１〕。
【００９５】
主制御部４１は、情報問合受付部４６から伝達された問合せ情報（ＱＰＳ：ＤＮ１  、ＭＮ１  ）に含まれる携帯端末番号（ＤＮ１  ）および提供情報識別番号（ＭＮ１  ）を抽出し、データベース管理部４７に伝達する〔ステップＳ３２〕。
【００９６】
データベース管理部４７は、主制御部４１から携帯端末番号（ＤＮ１  ）および提供情報識別番号（ＭＮ１  ）を受信すると、提供履歴管理データベース４８を参照し、携帯端末番号（ＤＮ１  ）と提供情報識別番号（ＭＮ１  ）とを格納済の提供履歴情報（ＨＭ  ）を検索し、検出した提供履歴情報（ＨＭ１＋ＨＡ１）を抽出し、主制御部４１へ伝達する〔ステップＳ３３〕。
【００９７】
主制御部４１は、データベース管理部４７から伝達された提供履歴情報（ＨＭ１＋ＨＡ１）を分析し、保持される送信ゾーン番号（ＺＳ  ＝Ｚ１  ）と応答ゾーン番号（ＺＡ  ＝Ｚ１  ）とが一致し、且つ提供情報識別番号（ＭＮ１  ）に対する応答順情報（ＰＡ  ＝１）が付加されていることを認識すると、携帯端末（ＰＳ）１１  が提供情報（Ｍ１  ）による割引サービスの利用資格を有することを示す提供利用可情報（ＭＵＱ：ＯＫ）を構成し、情報送信部４４に伝達する〔ステップＳ３４〕。
【００９８】
情報送信部４４は、主制御部４１から伝達された提供利用可情報（ＭＵＱ：ＯＫ）を、ネットワーク（ＮＷ）６を経由してサービス要求装置５に返送する〔ステップＳ３５〕。
【００９９】
サービス要求装置５は、情報サービス管理装置４から返送された提供利用可情報（ＭＵＱ：ＯＫ）を受信すると、店舗８は、携帯端末（ＰＳ）１１  の所有客に対し、提供情報（Ｍ１  ）に提示の割引サービスを提供する。
【０１００】
以上により、店舗８は、訪問客が提供情報（Ｍ１  ）により提示した割引サービスの利用を要求した場合に、訪問客の所有する携帯端末（ＰＳ）１１  の携帯端末番号（ＤＮ１  ）と、提供情報（Ｍ１  ）の提供情報識別番号（ＭＮ１  ）とを問合せ情報（ＱＰＳ：ＤＮ１  、ＭＮ１  ）により、サービス要求装置５から情報サービス管理装置４に送信することにより、情報サービス管理装置４が問合せ対象携帯端末（ＰＳ）１１  の提供履歴情報（ＨＭ１＋ＨＡ１）を検索・判定し、提供利用可情報（ＭＵＱ：ＯＫ）をサービス要求装置５へ返送し、直ちに提供情報（Ｍ１  ）の利用資格を認識可能となる。
【０１０１】
次に、本発明の実施形態による情報問合せ処理（その二）を、図２、図３、図１０および図１１を用いて説明する。
【０１０２】
図２、図３、図１０および図１１において、例えば、店舗８が、提供情報（Ｍ２  ）＝「時刻（ＴＳ  ）に送信したこの情報を受取ってから、一時間以内に来店された方に、特定のサービスを提供致します。店舗８」等の提供を、サービス要求装置５から情報サービス管理装置４に要求した場合に、情報サービス管理装置４は、図４および図５に示されると同様の提供処理を実行し、提供情報（Ｍ２  ）の配送を実行すると共に、提供履歴情報（ＨＭ  ）を構成し、保存する。
【０１０３】
提供情報（Ｍ２  ）を受信した携帯端末（ＰＳ）１が、店舗８を訪問して提供情報（Ｍ２  ）に提示のサービスの利用を要求した場合に、店舗８は、訪問客の所有する携帯端末（ＰＳ）１１  の携帯端末番号（ＤＮ１  ）と、提供情報（Ｍ２  ）の提供情報識別番号（ＭＮ２  ）とをサービス要求装置５に入力すると、サービス要求装置５は、入力された携帯端末番号（ＤＮ１  ）と提供情報識別番号（ＭＮ１  ）とを含む問合せ情報（ＱＰＳ：ＤＮ１  、ＭＮ２  ）を構成し、ネットワーク（ＮＷ）６を経由して情報サービス管理装置４に送信する。
【０１０４】
情報サービス管理装置４においては、情報問合受付部４６が、サービス要求装置５から送信された問合せ情報（ＱＰＳ：ＤＮ１  、ＭＮ２  ）を受信すると、主制御部４１に伝達する〔図１０、ステップＳ４１〕。
【０１０５】
主制御部４１は、情報問合受付部４６から伝達された問合せ情報（ＱＰＳ：ＤＮ１  、ＭＮ２  ）を受信すると、現時刻を応答時刻（ＴＡ  ）として付加した後〔ステップＳ４２〕、問合せ情報（ＱＰＳ：ＤＮ１  、ＭＮ２  、ＴＡ  ）に含まれる携帯端末番号（ＤＮ１  ）および提供情報識別番号（ＭＮ２  ）を抽出し、データベース管理部４７に伝達する〔ステップＳ４３〕。
【０１０６】
データベース管理部４７は、主制御部４１から携帯端末番号（ＤＮ１  ）および提供情報識別番号（ＭＮ１  ）を受信すると、提供履歴管理データベース４８を参照し、携帯端末番号（ＤＮ１  ）と提供情報識別番号（ＭＮ１  ）とを格納済の提供履歴情報（ＨＭ  ）を検索し、検出した提供履歴情報（ＨＭ１）を抽出し、主制御部４１へ伝達する〔ステップＳ４４〕。
【０１０７】
主制御部４１は、データベース管理部４７から伝達された提供履歴情報（ＨＭ１）に保持済の送信時刻（ＴＳ  ）と、問合せ情報（ＱＰＳ）に付加済の応答時刻（ＴＡ  ）とを比較し、送信時刻（ＴＳ  ）から応答時刻（ＴＡ  ）迄の経過時間が一時間以内であるか否かを分析した結果、経過時間が一時間以内と判定された場合には、携帯端末（ＰＳ）１１  が提供情報（Ｍ２  ）による割引サービスの利用資格を有することを示す提供利用可情報（ＭＵＱ：ＯＫ）を構成し、情報送信部４４に伝達する〔ステップＳ４５〕。
【０１０８】
情報送信部４４は、主制御部４１から伝達された提供利用可情報（ＭＵＱ：ＯＫ）を、ネットワーク（ＮＷ）６を経由してサービス要求装置５に返送する〔ステップＳ４６〕。
【０１０９】
サービス要求装置５は、情報サービス管理装置４から返送された提供利用可情報（ＭＵＱ：ＯＫ）を受信すると、店舗８は、携帯端末（ＰＳ）１１  の所有客に対し、提供情報（Ｍ２  ）に提示の特定サービスを提供する。
【０１１０】
以上により、店舗８は、訪問客が提供情報（Ｍ２  ）により提示した特定サービスの利用を要求した場合に、訪問客の所有する携帯端末（ＰＳ）１１  の携帯端末番号（ＤＮ１  ）と、提供情報（Ｍ２  ）の提供情報識別番号（ＭＮ２  ）とを問合せ情報（ＱＰＳ：ＤＮ１  、ＭＮ２  ）により、サービス要求装置５から情報サービス管理装置４に送信することにより、情報サービス管理装置４が問合せ対象携帯端末（ＰＳ）１１  の提供履歴情報（ＨＭ１）を検索・判定し、提供利用可情報（ＭＵＱ：ＯＫ）をサービス要求装置５へ返送し、直ちに提供情報（Ｍ２  ）の利用資格を認識可能となり、店舗８が提供情報（Ｍ２  ）の送信時刻（ＴＳ  ）および携帯端末（ＰＳ）１１  の所有客の訪問時刻〔即ち応答時刻（ＴＡ  ）〕に注意を払う必要が無くなる。
【０１１１】
なお、図２乃至図１１はあく迄本発明の一実施形態に過ぎず、例えば本発明の対象となる情報サービス管理装置４、並びに情報提供システムの構成は、図示されるものに限定されるものではない。また本情報提供システムにより提供されるサービス内容は、例示されるものに限定されるものではない。
【０１１２】
【発明の効果】
以上、本発明によれば、前記情報提供システムにおいて、情報サービス管理装置から配送された提供情報を受信した携帯端末が、応答情報を送信すると、情報サービス管理装置が受信した応答情報に関するサービス提供条件を判定し、応答情報の送信元の携帯端末に判定結果を通知し、また提供情報の配送要求元のサービス要求装置が、携帯端末に対するサービス提供条件の問合せ情報を送信すると、情報サービス管理装置が当該携帯端末に対するサービス提供条件を判定し、サービス要求装置に判定結果を通知する為、当該情報提供システムの利便性が大幅に向上する。
【図面の簡単な説明】
【図１】本発明の原理図
【図２】本発明の実施形態による情報提供システム
【図３】図２における提供履歴情報
【図４】図２における情報提供処理
【図５】図２における情報提供シーケンス
【図６】図２における応答受信処理
【図７】図２における応答受信シーケンス
【図８】図２における情報問合せ処理（その一）
【図９】図２における情報問合せシーケンス（その一）
【図１０】図２における情報問合せ処理（その二）
【図１１】図２における情報問合せシーケンス（その二）
【図１２】従来ある情報提供システム
【符号の説明】
１  携帯端末（ＰＳ）
２  無線基地局（ＢＳ）
３  位置情報管理装置
４  情報サービス管理装置
５  サービス要求装置
６  ネットワーク（ＮＷ）
７  ゾーン
８  店舗
４１  主制御部
４２  情報提供受付部
４３  位置情報問合部
４４  情報送信部
４５  応答受信部
４６  情報問合受付部
４７  データベース管理部
４８  提供履歴管理データベース
４９  提供情報データベース
１００  提供履歴情報保管手段
２００  応答情報受付手段
３００  応答履歴情報保管手段
４００  応答条件判定手段
５００  問合せ情報受付手段
６００  問合せ条件判定手段
【図１】
0003622542.tif 000002
【図２】
0003622542.tif 000003
【図３】
0003622542.tif 000004
【図４】
0003622542.tif 000005
【図５】
0003622542.tif 000006
【図６】
0003622542.tif 000007
【図７】
0003622542.tif 000008
【図８】
0003622542.tif 000009
【図９】
0003622542.tif 000010
【図１０】
0003622542.tif 000011
【図１１】
0003622542.tif 000012
【図１２】
0003622542.tif 000013